(57)【特許請求の範囲】
【請求項１】
ＬＥＤ照明装置に電力を供給する電源部と、該電源部を駆動制御する制御部と、前記電源部及び前記制御部を収容可能なケーシングと、該制御部の制御内容を前記ケーシングの外部から書き替えるためのポートとを備え、
前記ケーシングに、前記電源部及び前記制御部を収容するための挿入口となる開口と、その開口を通して電源部及び制御部がケーシング内に位置決め配置された状態で該開口を密閉する樹脂モールド部とを備え、前記ポートが、前記制御部に接続されたコネクタからなり、該コネクタは、防水性を有するゴムパッキンで覆われており、該ゴムパッキンは、前記コネクタと制御内容を書き替えるための外部機器の書替用コネクタとが接続可能となるように前記樹脂モールド部から外部に突出した状態で該樹脂モールド部に貫通保持されており、
前記制御部を前記ケーシング内に位置決めした状態で保持する保持部材を設け、該保持部材は、前記制御部を保持する保持部と、該保持部に一体化され、前記ケーシング内に収容された電源部を構成するコンデンサに係止することで位置決め可能となる係止部とからなり、前記制御部側のコネクタが該制御部に一体化され、
前記制御部は、制御用プリント基板上に電子部品等の構成部品が実装されてなり、
前記ゴムパッキンは、前記制御部側のコネクタに外嵌されるパッキン本体と、このパッキン本体の後側端の開口を閉塞するために前記パッキン本体に連結されたカバー部とから構成され、
前記パッキン本体は、前記制御部側のコネクタ全体を前記制御用プリント基板の後端部と共に覆い隠すことができるように両者を外嵌する角筒状部と、この角筒状部の下端から下方へ延びる延出部とからなり、この延出部が、前記コンデンサの後端との当接により前記ゴムパッキンの前記ケーシング内における前後方向の位置決めを行うストッパー部材を兼用構成してなることを特徴とするＬＥＤ点灯用電源装置。
【請求項２】
前記保持部は、上下板部と左右板部とからなる断面形状が長方形の角筒状体から構成され、前記左右板部の内側面には、前記制御用プリント基板を係止保持する係止溝が形成されていることを特徴とする請求項１に記載のＬＥＤ点灯用電源装置。
【請求項３】
前記係止部は、前記保持部の下側板部の下面から下方に延びる左右一対の挟持板部とからなり、各挟持板部の下部には、下端側ほど内側に位置するように屈曲した傾斜板部を備えていることを特徴とする請求項２に記載のＬＥＤ点灯用電源装置。
【発明の詳細な説明】
【技術分野】
【０００１】
本発明は、例えば高速道路や一般道路の路肩、あるいはトンネル内の壁に設置されて路面等を照らすＬＥＤ照明装置に電力を供給してＬＥＤを点灯するためのＬＥＤ点灯用電源装置に関する。
【背景技術】
【０００２】
上記ＬＥＤ照明装置は、消費電力に有利で、しかも長寿命であることから、近年において従来から設置されているナトリウムランプ、水銀灯、蛍光灯等の照明装置に代えて用いられるようになってきている（例えば、特許文献１）。
【０００３】
上記のようなＬＥＤ照明装置のＬＥＤを点灯するためのＬＥＤ点灯用電源装置には、ＬＥＤの規格（例えばＬＥＤへ供給する電流値等の駆動データ等）に対応する制御内容が書き込まれている。そして、このＬＥＤ点灯用電源装置を設置した後は、制御内容を書き替えることができない構成であった。
【先行技術文献】
【特許文献】
【０００４】
【特許文献１】特開２００５−１４２１１６号公報
【発明の概要】
【発明が解決しようとする課題】
【０００５】
ところで、ＬＥＤ点灯用電源装置を設置した後に、改修工事等で制御内容の変更が必要な場合がある。しかし、前述のようにＬＥＤ点灯用電源装置の制御内容を書き替えることができない構成であるため、新しい制御内容を書き込んだ新しいＬＥＤ点灯用電源装置を準備する必要があり、コスト面において不利であった。また、ＬＥＤ照明装置に用いられるＬＥＤ（発光ダイオード）には、規格が異なる多くの種類のＬＥＤが存在するため、規格が異なるＬＥＤを備えた複数種類のＬＥＤ照明装置を設置する場合には、それらに応じた制御内容が書き込まれた複数種類のＬＥＤ点灯用電源装置を準備しなければならない。その結果、前記同様にコスト面において不利であった。
【０００６】
本発明が前述の状況に鑑み、解決しようとするところは、種々の規格に対応可能なＬＥＤ点灯用電源装置を提供することを課題とする。
【課題を解決するための手段】
【０００７】
本発明のＬＥＤ点灯用電源装置は、ＬＥＤ照明装置に電力を供給する電源部と、該電源部を駆動制御する制御部と、前記電源部及び前記制御部を収容可能なケーシングと、該制御部の制御内容を前記ケーシングの外部から書き替えるためのポートとを備え、前記ケーシングに、前記電源部及び前記制御部を収容するための挿入口となる開口と、その開口を通して電源部及び制御部がケーシング内に位置決め配置された状態で該開口を密閉する樹脂モールド部とを備え、前記ポートが、前記制御部に接続されたコネクタからなり、該コネクタは、防水性を有するゴムパッキンで覆われており、該ゴムパッキンは、前記コネクタと制御内容を書き替えるための外部機器の書替用コネクタとが接続可能となるように前記樹脂モールド部から外部に突出した状態で該樹脂モールド部に貫通保持されており、前記制御部を前記ケーシング内に位置決めした状態で保持する保持部材を設け、該保持部材は、前記制御部を保持する保持部と、該保持部に一体化され、前記ケーシング内に収容された電源部を構成するコンデンサに係止することで位置決め可能となる係止部とからなり、前記制御部側のコネクタが該制御部に一体化され、前記制御部は、制御用プリント基板上に電子部品等の構成部品が実装されてなり、前記ゴムパッキンは、前記制御部側のコネクタに外嵌されるパッキン本体と、このパッキン本体の後側端の開口を閉塞するために前記パッキン本体に連結されたカバー部とから構成され、前記パッキン本体は、前記制御部側のコネクタ全体を前記制御用プリント基板の後端部と共に覆い隠すことができるように両者を外嵌する角筒状部と、この角筒状部の下端から下方へ延びる延出部とからなり、この延出部が、前記コンデンサの後端との当接により前記ゴムパッキンの前記ケーシング内における前後方向の位置決めを行うストッパー部材を兼用構成してなることを特徴としている。
【０００８】
上記構成によれば、制御部の制御内容をケーシングの外部から書き替えるためのポート（インターフェース）を備えることによって、改修工事等で制御内容の変更が必要な場合や規格が異なるＬＥＤを備えた複数種類のＬＥＤ照明装置を設置する場合でも、ポートを通して制御部の制御内容を外部から迅速に書き替えることができ、ＬＥＤの規格に対応した新たなＬＥＤ点灯用電源装置を準備することが不要になる。ポートとしては、外部機器から制御内容を制御部に入力して書き替えるために外部機器の書替用コネクタを接続可能なコネクタから構成される接触式のものの他、電波にて受信可能な受信部から構成される非接触式のものを用いることができる。
また、コネクタがゴムパッキンにて覆われて防水機能を有することによって、制御部に接続されたコネクタに水が掛かって制御部がショートしてしまうといったトラブル発生がないだけでなく、制御部に接続されたコネクタへ制御内容を書き替えるための外部機器の書替用コネクタを接続して制御内容を迅速に書き替えることができる。
また、制御部側のコネクタが制御部に一体化されて保持部材で保持されることから、開口を密閉する樹脂モールド部を成形する際に、コネクタが不測に動くことなく固定されているため、成形作業を容易迅速に行うことができる。
【０００９】
また、本発明のＬＥＤ点灯用電源装置は、前記保持部は、上下板部と左右板部とからなる断面形状が長方形の角筒状体から構成され、前記左右板部の内側面には、前記制御用プリント基板を係止保持する係止溝が形成されていてもよい。
【００１１】
また、本発明のＬＥＤ点灯用電源装置は、前記係止部は、前記保持部の下側板部の下面から下方に延びる左右一対の挟持板部とからなり、各挟持板部の下部には、下端側ほど内側に位置するように屈曲した傾斜板部を備えていてもよい。
【発明の効果】
【００１３】
本発明によれば、制御部の制御内容をケーシングの外部から書き替えるためのポートを備えることによって、改修工事等で制御内容の変更が必要な場合や規格が異なるＬＥＤを備えた複数種類のＬＥＤ照明装置を設置する場合でも、ポートを通して制御部の制御内容を外部から迅速に書き換えることで、種々の規格に対応可能なＬＥＤ点灯用電源装置を提供することができる。従って、コスト面において有利になる。
【図面の簡単な説明】
【００１４】
【図１】本発明のＬＥＤ点灯用電源装置を示す斜視図である。
【図２】同装置の縦断側面図である。
【図３】同装置の縦断背面図である。
【図４】ケーシング内に制御部を組み込む工程を示す分解斜視図である。
【図５】ＬＥＤ照明装置の積算点灯時間を表示するＬＥＤの点滅パターンを示し、（ａ）は積算点灯時間が０時間の場合であり、（ｂ）は積算点灯時間が１万３千時間の場合である。
【発明を実施するための形態】
【００１５】
図１〜図４に、本発明のＬＥＤ点灯用電源装置１を示している。このＬＥＤ点灯用電源装置１は、例えば高速道路や一般道路の路肩、あるいはトンネル内の壁に設置されて路面等を照らすＬＥＤ照明装置に電力を供給してＬＥＤを点灯するための装置である。尚、図２において後述するケーシング４の開口４Ｋ側（図２ではケーシング４の長手方向左側）を後側とし、ケーシング４の開口４Ｋから離れる側（図２ではケーシング４の長手方向右側）を前側とし、紙面を突き抜ける方向（直交する方向）の向こう側を左側とし、紙面を突き抜ける方向の手前側を右側として、以下において説明する。
【００１６】
具体的には、ＬＥＤ点灯用電源装置１は、ＬＥＤ照明装置（図示せず）に電力を供給する電源部２と、電源部２を駆動制御する制御部３と、電源部２及び制御部３を収容可能なケーシング４と、制御部３の制御内容をケーシング４の外部から書き替えるためのポートとしてのコネクタ５とを備えている。また、ＬＥＤ点灯用電源装置１には、交流電源からの電力を後述の電源用プリント基板６へ入力するための２本の入力用の電線Ｄ１，Ｄ１、ＬＥＤ照明装置へ電流を供給するための２本の出力用の電線Ｄ２，Ｄ２、絶縁処理するためのアース線Ｄ３を備えている。そして、それらの線Ｄ１，Ｄ２，Ｄ３は、後述の樹脂モールド部Ｍを貫通して外部へ突出している。
【００１７】
電源部２は、図２及び図３に示すように、電源用プリント基板６上に電解コンデンサ６Ａや各種電子部品等の構成部品６Ｂが実装されて構成されている。電源用プリント基板６は、ケーシング４を構成する後述の左右の壁部４Ｄ，４Ｅの内側面の下部に形成された左右の係止溝４Ｍ１，４Ｍ２に係止することでケーシング４内に保持されている。
【００１８】
制御部３は、制御用プリント基板７上に電子部品等の構成部品（図示せず）が実装されて構成されている。また、制御部３には、例えば、初期照度補正機能、ソフトスタート機能、後述のＬＥＤ照明装置の積算点灯時間確認機能が書き込まれている。
【００１９】
初期照度補正機能は、ＬＥＤ照明装置のＬＥＤの劣化に合わせてＬＥＤ駆動用の電流値を増大することによって、照度を一定に保つように制御する機能である。具体的には、タイマー等により積算された駆動時間に応じて電流値を増大させていくことになる。また、ソフトスタート機能は、ＬＥＤ駆動用の電流値を徐々に増大させて目標の電流値に到達させる機能である。また、ＬＥＤ照明装置の積算点灯時間確認機能については後述する。
【００２０】
制御用プリント基板７には、電源部２の情報を表示するためのＬＥＤ８が後方へ突出する状態で取り付けられ、後述のＬＥＤ８の先端部が後述の樹脂モールド部Ｍから外部へ貫通突出している。このＬＥＤ８の点滅表示を確認することによって、電源部２の情報、つまりＬＥＤ照明装置の積算点灯時間（タイマー等を用いて積算したトータルの点灯時間）を確認することができる。
【００２１】
具体的には、図示していないボタンを押す、あるいはコネクタ５を介して接続された外部機器（例えばパソコン）により制御部３に表示開始信号を入力することによって、積算点灯時間を確認するためのＬＥＤ８の点滅を開始する。ＬＥＤ照明装置の積算点灯時間が０時間の（全く点灯していない）場合には、図５（ａ）に示すように（図では、○が点灯、●が消灯である）、まず、点灯、消灯、点灯、消灯（Ｓ１）を行うことによって、今から万の位の時間表示を行う旨のお知らせを行う。次に、消灯を５回連続行って（Ｓ２）一定期間を休止状態とする。尚、点灯時間は、０．５ｓ（秒）、消灯時間も、０．５ｓ（秒）に設定しているが、どのような時間に設定してもよい。万の位の時間が０であるため、前記休止状態から、点灯、消灯、点灯、消灯、点灯、消灯（Ｓ３）して、千の位の時間表示を行う旨のお知らせを行う。次に、消灯を５回連続行って（Ｓ４）一定期間を休止状態とし、千の位の時間が０で、百以下の位の時間も０であることを表示する。そして、停止ボタン（図示せず）を押す、あるいはコネクタ５を介して接続された外部機器（例えばパソコン）により制御部３に表示終了信号を入力するまで、Ｓ１〜Ｓ４の表示を繰り返し行う。
【００２２】
次に、ＬＥＤ照明装置の積算点灯時間が１万３千時間の場合には、図５（ｂ）に示すように（図では、○が点灯、●が消灯である）、前回と同様に、まず、点灯、消灯、点灯、消灯（Ｓ１）を行うことによって、今から万の位の時間表示を行う旨のお知らせを行う。次に、消灯を５回連続行って（Ｓ２）一定期間を休止状態とする。尚、点灯時間は、０．５ｓ（秒）、消灯時間も、０．５ｓ（秒）に設定しているが、どのような時間に設定してもよい。万の位の時間が１であるため、前記休止状態から、点灯、消灯、消灯、消灯（Ｓ５）を行って、１万時間を表示している（尚、２万時間の場合には、点灯、消灯、消灯、消灯を二回繰り返すことになる）。前記万の位の時間表示から、点灯、消灯、点灯、消灯、点灯、消灯（Ｓ３）して、千の位の時間表示を行う旨のお知らせを行う。次に、消灯を５回連続行って（Ｓ４）一定期間を休止状態とし、千の位の時間表示を行う。つまり、点灯、消灯、消灯、消灯を３回繰り返す（Ｓ６）ことによって、千の位の時間が３であることを表示する。そして、停止ボタン（図示せず）を押す、あるいはコネクタ５を介して接続された外部機器（例えばパソコン）により制御部３に表示終了信号を入力するまで、Ｓ１〜Ｓ６の表示を繰り返し行う。このように、ＬＥＤ８の点滅を行うことによって、ＬＥＤ照明装置の積算点灯時間を確認することができる。１個のＬＥＤ８を点滅させて、ＬＥＤ照明装置の積算点灯時間を確認することができるから、例えば積算点灯時間を数字表示する表示部を設ける場合に比べて構成を簡素にすることができ、コスト面や装置の小型化において有利になる。
【００２３】
前記構成の制御部３は、ケーシング４内に保持部材９により位置決めした状態で保持されている。この保持部材９は、制御部３を構成する制御用プリント基板７を保持する保持部１０と、保持部１０に一体化され、ケーシング４内に収容された前記電解コンデンサ６Ａに係止することで位置決め可能となる係止部１１とからなり、前記コネクタ５が制御部３に動かないように一体化されている。
【００２４】
保持部１０は、上下板部１０Ａ，１０Ｂと左右板部１０Ｃ，１０Ｄとからなる断面形状が長方形の角筒状体から構成されている。左右板部１０Ｃ，１０Ｄの内側面には、制御用プリント基板７を係止保持する係止溝１０Ｍ１，１０Ｍ２が形成されている。また、係止部１１は、前記下側板部１０Ｂの下面から下方に延びる左右一対の挟持板部１１Ａ，１１Ｂとからなっている。各挟持板部１１Ａ，１１Ｂの下部には、下端側ほど内側に位置するように屈曲した傾斜板部１１ａ，１１ｂを備えている。
【００２５】
コネクタ５は、一端が開放された矩形で箱型状体に構成され、その箱型状体の内部に、多数のピンＰを備えている。そして、制御部３の制御内容を書き替えるための外部機器（例えばパソコン）の書替用コネクタ（図示せず）が、制御部３に接続されたコネクタ５に内嵌されることによって（外嵌でもよい）、両コネクタが電気的に接続される。また、コネクタ５は、制御用プリント基板７の後端部の上面に固定されるとともに、防水性を有するゴムパッキン１２で制御用プリント基板７と共に覆われている。このゴムパッキン１２は、制御部３に接続されたコネクタ５と書替用コネクタ（図示せず）とが接続可能となるように樹脂モールド部Ｍから外部に突出した状態で樹脂モールド部Ｍに貫通保持されている。
【００２６】
ゴムパッキン１２は、具体的には、コネクタ５に外嵌されるパッキン本体１３と、このパッキン本体１３の後側端の開口１３Ａを閉塞するためにパッキン本体１３に連結されたカバー部１４とから構成されている。
【００２７】
パッキン本体１３は、コネクタ５全体を制御用プリント基板７の後端部と共に覆い隠すことができるように両者を外嵌する角筒状部１５と、この角筒状部１５の下端から下方へ延びる長方形で板状の延出部１６とからなっている。この延出部１６が電解コンデンサ６Ａの後端６ａに当接（図２及び図３参照）することによって、ゴムパッキン１２のケーシング４内における前後方向の位置決めを行うストッパー部材を兼用構成している。また、角筒状部１５の上壁１５Ａの下面には、下方へ突出する突出部１５ａ（図２及び図４参照）が形成されている。従って、パッキン本体１３をコネクタ５に被せることによって、角筒状部１５が弾性変形して突出部１５ａがコネクタ５を乗り越えて角筒状部１５の装着が完了する。この乗り越えた突起部１５ａが、コネクタ５の後端に当接することによって、角筒状部１５が後方側へ移動して角筒状部１５がコネクタ５から外れることを阻止することができる構成となっている。
【００２８】
ケーシング４は、一端が閉じられ、かつ、他端が開放されて電源部２及び制御部３を収容するための挿入口となる開口４Ｋが形成された角筒状体から構成されている。更に、詳述すれば、ケーシング４は、アルミニウム等の金属材料をインパクト成形により前壁部４Ａと、上下の壁部４Ｂ，４Ｃと、左右の壁部４Ｄ，４Ｅとから前後方向に長い角筒状体に構成されている。尚、互いに隣り合う壁部の連結部である角部４Ｚが湾曲形状に構成されている。また、左右の壁部４Ｄ，４Ｅの後端における上下方向中央部から下側部分にかけて後方に所定長さだけ延びる延出部４ｄ，４ｅを備えるとともに、下側の壁部４Ｃの後端に左右の壁部４Ｄ，４Ｅの延出部４ｄ，４ｅと同じ長さだけ延びる延出部４ｃを備えている。この延出部４ｃにケーシング４を設置する固定部材（図示せず）に例えばビス等により固定するための貫通孔４ｋを形成している。
【００２９】
また、ケーシング４の開口４Ｋは、モールド成形により成形された樹脂モールド部Ｍにより密閉されている。従って、ケーシング４の内部に水分が浸入することが阻止できる。
【００３０】
前記ＬＥＤ点灯用電源装置の組み立て工程について説明する。図４に示すように、制御用プリント基板７のコネクタ５にゴムパッキン１２を被せる。このとき、角筒状部１５の突出部１５ａがコネクタ５の後端に当接することで角筒状部１５の後方側への移動を阻止することができる（図２参照）。その後、制御用プリント基板７を保持部材９の保持部１０の係止溝１０Ｍ１，１０Ｍ２に係止しながら後方から前方に向けて移動させる。このとき、角筒状部１５の前端面１５Ｆが保持部１０の後端面１０Ｒに当接することによって、制御用プリント基板７の保持部１０への装着が完了する。続いて、保持部材９の挟持板部１１Ａ，１１Ｂを電源用プリント基板６上にある電解コンデンサ６Ａに後方から前方へ移動させながら係止させる。保持部材９の挟持板部１１Ａ，１１Ｂを電解コンデンサ６Ａに係止固定すると、ゴムパッキン１２の延出部１６が電解コンデンサ６Ａの後端６ａに当接して、ゴムパッキン１２のケーシング４内における前後方向の位置決めを行うことができる。この後、制御用プリント基板７と電源用プリント基板６との結線を行う。このように制御用プリント基板７が保持部材９を介して組み付けられた電源部２の電源用プリント基板６をケーシング４の係止溝４Ｍ１，４Ｍ２に係止しながら後方から前方に向けて移動させることによって、電源部２と制御部３とをケーシング４内に位置決めした状態で配置することができる。このように配置された後は、モールド成形により樹脂モールド部Ｍを成形してケーシング４の開口４Ｋを閉じることで図１のようなＬＥＤ点灯用電源装置１が完成する。ここで説明したＬＥＤ点灯用電源装置の組み立て工程の手順は、説明した手順に限定されることがなく、自由に変更可能である。尚、ゴムパッキン１２の延出部１６が樹脂モールド部Ｍに埋設された状態になっている（図２参照）ことから、ゴムパッキン１２を樹脂モールド部Ｍに強固に固定することができる。
【００３１】
前記のように完成したＬＥＤ点灯用電源装置を、例えばトンネル内の壁に設置した後、制御部３の制御内容を書き替える場合を説明する。まず、ゴムパッキン１２のカバー部１４を外す。次に、書き替える制御内容が記憶されている記憶部を備えた外部機器の一例であるパソコン（図示せず）を準備し、パソコンに接続されている書替用コネクタ（図示せず）をパッキン本体１３内のコネクタ５に差し込む。差し込んだ後は、パソコンを操作して制御内容を書き替える。書き替えた後は、コネクタ５から書替用コネクタを外してから、ゴムパッキン１２のカバー部１４をパッキン本体１３に装着して、コネクタ５への水の浸入を防止した状態にする。
【００３２】
前述のように、制御部３の制御内容をケーシング４の外部から書き替えるためのポート（インターフェースとも呼ばれ、情報（ここでは制御内容）を出し入れするための入出力部）であるコネクタ５を備えることによって、改修工事等で制御内容の変更が必要な場合や規格が異なるＬＥＤを備えた複数種類のＬＥＤ照明装置を設置する場合でも、ポートを通して制御部３の制御内容を外部から迅速に書き替えることができ、ＬＥＤの規格に対応した新たなＬＥＤ点灯用電源装置を準備することが不要になる。また、ポートであるコネクタ５がゴムパッキン１２にて覆われて防水機能を有することによって、水がコネクタ５に掛かって制御部３がショートしてしまうといったトラブル発生がないだけでなく、コネクタ５へ制御内容を入力する書替用コネクタ（図示せず）を接続して制御内容を迅速に書き替えることができる。また、コネクタ５が制御部３に一体化されて保持部材９で保持されることから、開口４Ｋを密閉する樹脂モールド部Ｍを成形する際に、コネクタ５が不測に動くことなく固定されるため、樹脂モールド部Ｍの成形作業を容易迅速に行うことができる。
【００３３】
尚、本発明は、前記実施形態に限定されるものではなく、本発明の要旨を逸脱しない範囲で種々の変更が可能である。
【００３４】
前記実施形態では、ポートとして、接触式のコネクタ５から構成したが、電波にて受信可能な非接触式の受信部から構成してもよい。
【００３５】
また、前記実施形態では、制御部３をケーシング４内に保持する保持部材９を設けたが、ケーシング４内に制御部３を係止保持する係止部を一体形成して実施することもできる。また、保持部材９の係止部１１をコンデンサ６Ａに係止したが、ケーシング４に設けた係止部に係止する構成であってもよい。
【００３６】
また、前記実施形態では、ケーシング４を、一端が閉じられ、かつ、他端が開放されて電源部２及び制御部３を収容するための挿入口となる開口４Ｋが形成された角筒状体から構成したが、上下方向又は前後方向あるいは左右方向で２つに分割された分割ケースから構成してもよい。
【００３７】
また、前記実施形態では、角筒状部１５が、コネクタ５全体を制御用プリント基板７の後端部と共に覆い隠すことができるように両者を外嵌するように構成したが、制御用プリント基板７上にコネクタ５を固定しないで、制御用プリント基板７の後端に後方に突出するようにコネクタ５を固定し、コネクタ５のみを覆うように角筒状部１５を構成してもよい。
【００３８】
また、前記実施形態では、制御部３の制御内容を書き替えたい時に、外部機器の書替用コネクタを制御部３に接続されているコネクタ５に接続する構成であったが、例えば制御内容を書き替える専用の外部機器を制御部３に予め接続している構成であってもよい。この場合、コネクタを介して抜き差し可能に接続してもよいし、外部機器の電線を制御部３の制御用プリント基板７に直接接続して抜き差し不能に接続してもよい。このように外部機器を制御部３に予め接続して常時接続された状態にしておけば、外部機器を接続することが不要になり、外部機器を操作するだけで、制御内容を直ちに書き替えることができる。
【符号の説明】
【００３９】
１…点灯用電源装置、２…電源部、３…制御部、４…ケーシング、４Ｋ…開口、４Ｍ１，４Ｍ２…係止溝、４ｃ，４ｄ，４ｅ…延出部、４ｋ…貫通孔、５…コネクタ（ポート）、６…電源用プリント基板、６Ａ…電解コンデンサ、６Ｂ…構成部品、７…制御用プリント基板、９…保持部材、１０…保持部、１０Ａ，１０Ｂ…上下板部、１０Ｃ，１０Ｄ…左右板部、１０Ｍ１，１０Ｍ２…係止溝、１１…係止部、１１Ａ，１１Ｂ…挟持板部、１１ａ，１１ｂ…傾斜板部、１２…ゴムパッキン、１３…パッキン本体、１３Ａ…開口、１４…カバー部、１５…角筒状部、１６…延出部、Ｄ１，Ｄ２，Ｄ３…線、Ｍ…樹脂モールド部、Ｐ…ピン
【要約】
【課題】種々の規格に対応可能なＬＥＤ点灯用電源装置を提供する。
【解決手段】ＬＥＤ照明装置に電力を供給する電源部２と、該電源部２を駆動制御する制御部３と、電源部２及び制御部３を収容可能なケーシング４と、制御部３の制御内容をケーシング４の外部から書き替えるための入力部５とを備えている。
【選択図】図２【図１】
0005135485.tif 000002
【図２】
0005135485.tif 000003
【図３】
0005135485.tif 000004
【図４】
0005135485.tif 000005
【図５】
0005135485.tif 000006